(57)【要約】【課題】本発明は、挿入部の処置具挿通チャンネルに通された高周波処置具から出るノイズによって内視鏡の観察像が乱れることがないうえ、挿入部の外径が太くならず、かつ可撓性を損なわない内視鏡を提供することを最も主要な特徴とする。【解決手段】挿入部５の内部に配設される可撓性を有するチャンネルチューブ１６のチューブ基材２３の外周面に金属膜を成膜させた外皮２４を設け、操作部６に配設されたアース回路２６と金属膜とを接続して処置具挿通チャンネル１１内に挿通される高周波処置具２１から出るノイズの影響を防止する電磁シールド手段２７を設けたものである。【選択図】      図２
2006006529.tif 000002
【特許請求の範囲】
【請求項１】
管腔内に挿入される細長い挿入部の先端部に少なくとも観察部と、処置具挿通チャンネルの開口部とが配設され、前記挿入部の内部に配設された前記処置具挿通チャンネルの基端部が前記挿入部の基端部に連結された操作部側に延設されている内視鏡において、
前記挿入部の内部に配設される可撓性を有する管状部材の外皮に成膜される金属膜を設け、
アース回路と前記金属膜とを接続して前記処置具挿通チャンネル内に挿通される高周波処置具から出るノイズの影響を防止する電磁シールド手段を設けたことを特徴とする内視鏡。
【請求項２】
前記管状部材は、前記処置具挿通チャンネルを形成するチャンネルチューブであることを特徴とする請求項１に記載の内視鏡。
【請求項３】
前記挿入部は、前記先端部の後端部に連結される湾曲部を有し、
前記チャンネルチューブは、前記湾曲部以外の部分の外皮に前記金属膜が成膜され、前記湾曲部の部分には金属製のコイル部材が巻装され、前記コイル部材と前記金属膜とが導通されていることを特徴とする請求項２に記載の内視鏡。
【請求項４】
前記観察部は、観察光学系に撮像素子が組み込まれ、前記撮像素子に接続された撮像ケーブルが前記挿入部内に配設されているとともに、
前記管状部材は、前記撮像ケーブルの外皮チューブであることを特徴とする請求項１に記載の内視鏡。
【請求項５】
前記金属膜は、フッ素樹脂の外面に親和性を高める前処理を行なった後、スパッタリング、イオンプレーティングなどの乾式めっき処理によって金属層を成膜したものであることを特徴とする請求項１に記載の内視鏡。
【請求項６】
前記金属膜は、フッ素樹脂の外面に親和性を高める前処理を行なった後、スパッタリング処理によって複数種類の金属を順次成膜し、かつ成膜層の最外皮をハンダぬれ性を高める金、またはニッケルの少なくともいずれか１つの成膜層に設定したものであることを特徴とする請求項１に記載の内視鏡。
【請求項７】
管腔内に挿入される細長い挿入部の先端部に少なくとも観察部と、処置具挿通チャンネルの開口部とが配設され、前記挿入部の内部に配設された前記処置具挿通チャンネルの基端部が前記挿入部の基端部に連結された操作部側に延設されている内視鏡において、
前記挿入部の内部に配設される可撓性を有する管状部材の外周面に金属のコイル部材を巻装し、
アース回路と前記コイル部材とを接続して前記処置具挿通チャンネル内に挿通される高周波処置具から出るノイズの影響を防止する電磁シールド手段を設けたことを特徴とする内視鏡。
【発明の詳細な説明】
【技術分野】
【０００１】
本発明は、ＣＣＤなどの撮像素子によって内視鏡像が撮像されるとともに、処置具挿通チャンネル内に高周波処置具が挿入され、高周波処置が行なわれる内視鏡に関する。
【背景技術】
【０００２】
一般に、電子内視鏡（ビデオスコープ）では管腔内に挿入される挿入部の先端部にＣＣＤなどの撮像素子が組み込まれ、この撮像素子によって内視鏡像が撮像される。また、内視鏡にはこの撮像素子から出力される信号を電送する信号ケーブルが配設されている。この信号ケーブルは外部のカメラコントロールユニット（ＣＣＵ）に接続されている。このＣＣＵはモニターなどの表示手段に接続されている。そして、撮像素子によって撮像される内視鏡像は、電気信号に変換されて信号ケーブルを介してＣＣＵに電送され、モニターに表示されるようになっている。
【０００３】
さらに、内視鏡の挿入部には、鉗子チャンネル（処置具挿通チャンネル）が配設されている。この鉗子チャンネルには、例えば高周波処置具が挿入され、高周波処置が行なわれるようになっている。
【０００４】
また、特許文献１には、内視鏡の挿入部や、ユニバーサルケーブルの外皮に金属線を網状に編んだ網管などを装着することにより、電子内視鏡から放射される不要な輻射ノイズを低減したり、外部の他の電子機器から輻射されるノイズが電子内視鏡に混入することを防止する構成が示されている。
【０００５】
特許文献２には、内視鏡の挿入部に配設される鉗子チャンネルのチャンネルチューブの外周面にアルミニウムなどの金属箔を巻き付け、その上に銅などの金属を蒸着した金属蒸着被膜を設けた構成が示されている。
【０００６】
特許文献３には、内視鏡の操作部に接続された信号ケーブルである撮像ケーブルに２層に重ねられたシールド線を巻き付け、外部の電気機器に電磁妨害を与えることを防止する構成が示されている。この場合も電子内視鏡から放射される不要な輻射ノイズを低減したり、外部の他の電子機器から輻射されるノイズが電子内視鏡に混入することを防止することができる。
【特許文献１】特許２９９７７９７号公報
【特許文献２】特公平７−６１３０８号公報
【特許文献３】特開平８−２５６９７４号公報
【発明の開示】
【発明が解決しようとする課題】
【０００７】
上記従来構成の鉗子チャンネルを有した電子内視鏡では、鉗子チャンネルに挿通された高周波処置具と組み合わせて使用した場合に、高周波処置具の周りに発生した電磁界によってＣＣＤに接続されたケーブルにクロストークが生じる。これにより、鉗子チャンネルに通された高周波処置具から出されたノイズによって、モニターに表示される内視鏡の映像が乱れることがある。
【０００８】
また、特許文献１のように内視鏡の挿入部や、ユニバーサルケーブルの外皮に電磁シールドを設けた場合には、鉗子チャンネルに通された高周波処置具から出されたノイズがＣＣＤに接続されたケーブルに電磁妨害を与えることを防止することができない。
【０００９】
さらに、特許文献２の内視鏡のように鉗子チャンネルのチャンネルチューブの外周面にアルミニウムなどの金属箔を巻き付け、その上に金属蒸着被膜を設けた場合にはチャンネルチューブ全体の厚さが大きくなる。そのため、挿入部の外径が太くなる。さらに、チャンネルチューブの可撓性が低下し、挿入部全体が曲がり難くなる。
【００１０】
また、特許文献３の内視鏡のように撮像ケーブルに２重にシールド線を巻きつける構成にした場合には撮像ケーブルが太くなる。そのため、この場合も挿入部の外径が太くなる。さらに、チャンネルチューブの可撓性が低下し、挿入部全体が曲がり難くなる。
【００１１】
本発明は上記事情に着目してなされたもので、その目的は、挿入部の処置具挿通チャンネルに通された高周波処置具から出るノイズによって内視鏡の観察像が乱れることがないうえ、挿入部の外径が太くならず、かつ可撓性を損なわない内視鏡を提供することにある。
【課題を解決するための手段】
【００１２】
請求項１の発明は、管腔内に挿入される細長い挿入部の先端部に少なくとも観察部と、処置具挿通チャンネルの開口部とが配設され、前記挿入部の内部に配設された前記処置具挿通チャンネルの基端部が前記挿入部の基端部に連結された操作部側に延設されている内視鏡において、前記挿入部の内部に配設される可撓性を有する管状部材の外皮に成膜される金属膜を設け、アース回路と前記金属膜とを接続して前記処置具挿通チャンネル内に挿通される高周波処置具から出るノイズの影響を防止する電磁シールド手段を設けたことを特徴とする内視鏡である。  
そして、本請求項１の発明では、アース回路と管状部材の外皮に成膜される金属膜とを接続した電磁シールド手段によって処置具挿通チャンネル内に挿通される高周波処置具から出るノイズの影響を防止する。ここで、電磁シールド手段を管状部材の外皮に金属膜を成膜して形成することにより、管状部材の厚さが太くならず、かつ可撓性を損なわないようにしたものである。
【００１３】
請求項２の発明は、前記管状部材は、前記処置具挿通チャンネルを形成するチャンネルチューブであることを特徴とする請求項１に記載の内視鏡である。  
そして、本請求項２の発明では、処置具挿通チャンネルのチャンネルチューブの外皮に金属膜を成膜して電磁シールド手段を形成するようにしたものである。
【００１４】
請求項３の発明は、前記挿入部は、前記先端部の後端部に連結される湾曲部を有し、前記チャンネルチューブは、前記湾曲部以外の部分の外皮に前記金属膜が成膜され、前記湾曲部の部分には金属製のコイル部材が巻装され、前記コイル部材と前記金属膜とが導通されていることを特徴とする請求項２に記載の内視鏡である。  
そして、本請求項３の発明では、湾曲部の部分に金属製のコイル部材を巻装することにより、湾曲部が湾曲しやすい状態で保つとともに、これと同時にコイル部材と金属膜とを導通させた電磁シールド手段によって処置具挿通チャンネル内に挿通される高周波処置具から出るノイズの影響を防止するようにしたものである。
【００１５】
請求項４の発明は、前記観察部は、観察光学系に撮像素子が組み込まれ、前記撮像素子に接続された撮像ケーブルが前記挿入部内に配設されているとともに、前記管状部材は、前記撮像ケーブルの外皮チューブであることを特徴とする請求項１に記載の内視鏡である。  
そして、本請求項４の発明では、撮像ケーブルの外皮チューブに金属膜を成膜して電磁シールド手段を形成することにより、高周波処置具より出されたノイズによって内視鏡の映像が乱れないようにしたものである。
【００１６】
請求項５の発明は、前記金属膜は、フッ素樹脂の外面に親和性を高める前処理を行なった後、スパッタリング、イオンプレーティングなどの乾式めっき処理によって金属層を成膜したものであることを特徴とする請求項１に記載の内視鏡である。  
そして、本請求項５の発明では、フッ素樹脂の管状部材の外面に親和性を高める前処理を行なった後、スパッタリング、イオンプレーティングなどの乾式めっき処理によって金属層を成膜して金属膜を形成することにより、管状部材の厚さが太くならず、かつ可撓性を損なわないようにしたものである。
【００１７】
請求項６の発明は、前記金属膜は、フッ素樹脂の外面に親和性を高める前処理を行なった後、スパッタリング処理によって複数種類の金属を順次成膜し、かつ成膜層の最外皮をハンダぬれ性を高める金、またはニッケルの少なくともいずれか１つの成膜層に設定したものであることを特徴とする請求項１に記載の内視鏡である。  
そして、本請求項６の発明では、フッ素樹脂の管状部材の外面に親和性を高める前処理を行なった後、スパッタリング処理によって複数種類の金属を順次成膜し、かつ成膜層の最外皮を金、またはニッケルの少なくともいずれか１つの成膜層にして金属膜を形成することにより、金属膜のハンダぬれ性を高めるようにしたものである。
【００１８】
請求項７の発明は、管腔内に挿入される細長い挿入部の先端部に少なくとも観察部と、処置具挿通チャンネルの開口部とが配設され、前記挿入部の内部に配設された前記処置具挿通チャンネルの基端部が前記挿入部の基端部に連結された操作部側に延設されている内視鏡において、前記挿入部の内部に配設される可撓性を有する管状部材の外周面に金属のコイル部材を巻装し、アース回路と前記コイル部材とを接続して前記処置具挿通チャンネル内に挿通される高周波処置具から出るノイズの影響を防止する電磁シールド手段を設けたことを特徴とする内視鏡である。  
そして、本請求項７の発明では、アース回路と管状部材の外周面の金属のコイル部材とを接続した電磁シールド手段によって処置具挿通チャンネル内に挿通される高周波処置具から出るノイズの影響を防止するようにしたものである。
【発明の効果】
【００１９】
本発明によれば、挿入部の処置具挿通チャンネルに通された高周波処置具から出るノイズによって内視鏡の観察像が乱れることがないうえ、挿入部の外径が太くならず、かつ可撓性を損なわない内視鏡を提供することができる。
【発明を実施するための最良の形態】
【００２０】
[第１の実施の形態]
以下、本発明の第１の実施の形態を図１乃至図３を参照して説明する。図１は本実施の形態の電子内視鏡（ビデオスコープ）１のシステム全体の概略構成を示すものである。電子内視鏡１のシステムは、電子内視鏡１と、光源装置２と、ビデオプロセッサ３と、モニター４とを有する。ビデオプロセッサ３にはモニター４が接続されている。
【００２１】
電子内視鏡１には、管腔内に挿入される細長い挿入部５と、この挿入部５の基端部に連結された操作部６とを有する。挿入部５には、可撓性を有する細長い可撓管部（蛇管）７が設けられている。この可撓管部７の基端部は操作部６と連結されている。挿入部５の最先端部には硬質な先端硬性部８が配設されている。この先端硬性部８の基端部と可撓管部７の先端部との間には湾曲部９が介設されている。
【００２２】
図２（Ａ）に示すように先端硬性部８には、少なくとも観察部１０と、処置具挿通チャンネル１１の先端開口部１１ａと、図示しない照明部とが配設されている。さらに、先端硬性部８には、先端枠１２が設けられている。この先端枠１２には観察部装着穴１２ａと、処置具挿通チャンネル用穴１２ｂと、図示しない照明用の穴とが設けられている。
【００２３】
観察部１０には、対物レンズ群１３ａを組み込んだ対物レンズユニット１３が設けられている。この対物レンズユニット１３には、フィールドレンズ２００とＣＣＤ（撮像素子）１５を保持したＣＣＤ保持枠１４が接続されている。このＣＣＤ保持枠１４の後端部にはＣＣＤ１５が配設されている。このＣＣＤ１５は対物レンズ群１３ａの結像位置に配置されている。そして、先端枠１２の観察部装着穴１２ａには、ＣＣＤ保持枠１４が挿入された状態で、接着剤などで液密に固定されている。
【００２４】
さらに、先端枠１２の照明用の穴には照明光学系の照明レンズや、ライトガイドファイバなどを組み込んだ照明ユニットが装着されている。そして、接着剤などで同様に先端枠１２に液密に固定されている。
【００２５】
また、処置具挿通チャンネル１１は、可撓性を備えた細長いチャンネルチューブ（管状部材）１６によって形成されている。このチャンネルチューブ１６は、例えばＰＴＦＥなどの樹脂材料によって形成されている。そして、このチャンネルチューブ１６の先端部が先端枠１２の処置具挿通チャンネル用穴１２ｂに挿入された状態で、接着剤などで液密に固定されている。
【００２６】
また、挿入部５の湾曲部９には図示しない複数の湾曲駒が挿入部５の軸方向に並設されている。各湾曲駒の前後の両端部はそれぞれ回動可能に連結されている。さらに、湾曲部９の外周面には可撓性を有する湾曲チューブ１７が配設されている。そして、湾曲部９は手元側からの遠隔操作によって例えば前後左右の４方向、或いは２方向にそれぞれ湾曲操作可能になっている。
【００２７】
挿入部５の湾曲部９および可撓管部７の内部には、撮像ケーブル１８と、チャンネルチューブ１６と、図示しない照明用のライトガイドファイバと、湾曲操作用の操作ワイヤなどが配設されている。撮像ケーブル１８の先端部はＣＣＤ１５に接続されている。また、操作ワイヤの先端部は湾曲部９の最先端位置の湾曲駒に固定されている。さらに、撮像ケーブル１８、チャンネルチューブ１６、ライトガイドファイバおよび操作ワイヤの基端部は操作部６側に延出されている。
【００２８】
操作部６には、鉗子口であるチャンネル口金１９と、湾曲操作レバー２０とが配設されている。図２（Ａ）に示すようにチャンネル口金１９の内端部にはチャンネルチューブ１６の基端部が連結されている。これにより、チャンネル口金１９から挿入された高周波処置具２１などの処置具は処置具挿通チャンネル１１内を通して挿入部５の先端部側に導かれ、先端開口部１１ａから外部に突出されるようになっている。
【００２９】
また、湾曲操作レバー２０は操作部６内に組み込まれた図示しない湾曲操作機構に連結されている。この湾曲操作機構には操作ワイヤの基端部が連結されている。そして、湾曲操作レバー２０の操作によって湾曲操作機構を介して操作ワイヤが牽引操作され、湾曲部９が湾曲操作レバー２０の操作方向に遠隔的に湾曲操作されるようになっている。
【００３０】
さらに、操作部６には、ユニバーサルケーブル２２の基端部が連結されている。このユニバーサルケーブル２２の先端部には光源装置２と着脱可能に連結される図示しないコネクタと、ビデオプロセッサ３と着脱可能に連結される図示しない電気コネクタとが設けられている。そして、光源装置２から出射される照明光が図示しないライトガイドファイバを介して先端硬性部８の図示しない照明部に送られ、ここから照明光が外部に出射されるようになっている。
【００３１】
また、撮像ケーブル１８の基端部は操作部６内からユニバーサルケーブル２２内を通り、図示しない電気コネクタに接続されている。そして、観察部１０の対物レンズ群１３ａによって結像された内視鏡像は、ＣＣＤ１５によって撮像されて電気信号に変換される。さらに、ＣＣＤ１５から出力される電気信号は撮像ケーブル１８を介してビデオプロセッサ３に送られて画像処理された後、モニター４に内視鏡像が表示されるようになっている。
【００３２】
また、図２（Ｂ）に示すように本実施の形態のチャンネルチューブ１６は、ＰＴＦＥなどの樹脂材料によって形成されたチューブ基材２３の外周面に導電性を有した導電性被膜である金属膜が単層で成膜されて外皮２４が形成されている。ここで、チューブ基材２３は、ＰＴＦＥの他の高分子、樹脂材料、例えばＦＥＰ，塩化ビニル、ＰＥＴ，ポリアミド、ポリイミドでもよい。
【００３３】
外皮２４の金属膜の成膜条件は、例えば銅、クロム、ニッケル、チタンなどの金属がＣＶＤ法やスパッタリング法、蒸着法、メッキなどにより形成される。ここで、外皮２４の金属膜のメッキ方法としては、乾式メッキとして蒸着、スパッタリング、イオンプレーティング、ＣＶＤなどがある。また、湿式メッキとしてめっき、塗装（導電性塗塗料）などがある。
【００３４】
さらに、外皮２４の金属膜の成膜時には被膜の前処理としてチューブ基材２３の外周面に例えばテトラエッチ、固体ナトリウム法、大気プラズマ、親水化処理、プライマー散布などの少なくともいずれかの下処理が施されている。
【００３５】
また、チャンネルチューブ１６の外皮２４の金属膜には、リード線２５の一端部が接続されている。図３に示すようにこのリード線２５の他端部は、ビデオプロセッサ３に配設された、コンデンサ３４、抵抗３５、コイル３６からなるアース回路３７を介してビデオプロセッサ３の内部のグランド（ＧＮＤ）と接続されている。これにより、ビデオプロセッサ３の内部のグランドと導通させることにより、チャンネルチューブ１６内に挿通される高周波処置具２１から出るノイズの影響を防止する電磁シールド手段２７が形成されている。
【００３６】
また、本実施の形態では、観察部１０の対物レンズユニット１３のＣＣＤ保持枠１４は、非導電性のアルマイト処理を施したアルミ部材を用いて形成されている。ここで、ＣＣＤ１５を保持する枠部材１５ａにも同様に非導電性のアルマイト処理を施したアルミ部材が用いられている。
【００３７】
次に、上記構成の作用について説明する。本実施の形態の電子内視鏡１の使用時にはチャンネル口金１９から高周波処置具２１などの処置具が挿入される。この高周波処置具２１は、処置具挿通チャンネル１１内を通して挿入部５の先端部側に導かれ、先端開口部１１ａから外部に突出される。この状態で、電子内視鏡１と高周波処置具２１とが組み合わせて使用される。このとき、電子内視鏡１内のＣＣＤ１５によって管腔内の内視鏡像が撮像され、モニター４に内視鏡像が表示される。
【００３８】
また、高周波処置具２１の使用時には高周波処置具２１の周りに電磁界が発生する。このとき、本実施の形態ではチャンネルチューブ１６の外皮２４の金属膜がリード線２５を介してアース回路２６と接続されているので、アース回路２６のグランドが高周波処置具２１の周囲に発生する電磁界を遮断する。そのため、ＣＣＤ１５に接続された撮像ケーブル１８に高周波処置具２１の周りに発生した電磁界によってクロストークが生じることを防止することができるので、モニター４に表示される内視鏡像の画像が乱れることを防止できる。
【００３９】
そこで、上記構成のものにあっては次の効果を奏する。すなわち、本実施の形態の電子内視鏡１のチャンネルチューブ１６は、チューブ基材２３の外周面に金属膜を成膜して外皮２４を形成したので、チャンネルチューブ１６内に通した高周波処置具２１からのノイズに強い。そのため、挿入部５の処置具挿通チャンネル１１に通された高周波処置具２１から出るノイズによって内視鏡１の観察像が乱れることがない。
【００４０】
さらに、チャンネルチューブ１６の外皮２４は、チューブ基材２３の外周面に金属膜を成膜してを形成したので、チャンネルチューブ１６全体の厚さが格別に大きくなるおそれはない。そのため、挿入部５の外径が太くならず、かつ挿入部５の可撓性を損なわない効果もある。
【００４１】
また、本実施の形態では、観察部１０の対物レンズユニット１３のＣＣＤ保持枠１４やＣＣＤ１５を保持する枠部材１５ａは、非導電性のアルマイト処理を施したアルミ部材を用いて形成されている。そのため、例えば灌流液や、生理食塩水中で使用される電子内視鏡１でも、灌流液を伝わる高周波の漏れ電流が対物レンズユニット１３のＣＣＤ保持枠１４を経てＣＣＤ１５に流入させることを防止できる。その結果、挿入部５の処置具挿通チャンネル１１に通された高周波処置具２１と組み合わせて使用する場合であっても、還流液や生理食塩水を伝わる高周波によって内視鏡１の観察像の画像が乱れることが防止できる。
【００４２】
さらに、対物レンズユニット１３内に非導電性のアルマイト処理を施したアルミ部材のＣＣＤ保持枠１４や、ＣＣＤ１５の枠部材１５ａを用いることで、対物レンズユニット１３内にセラミックからなる非導電性部材を設けた場合のように電子内視鏡１の細径化を進めるとセラミックが薄肉化し、絶縁部材の加工や組立で割れてしまうことを防止できる。
【００４３】
なお、本実施の形態のチャンネルチューブ１６は、樹脂材料によって形成されたチューブ基材２３の外周面に金属膜が単層で成膜されて外皮２４が形成されているが、これに代えてチャンネルチューブ１６の外周面に銅や、ステンレスなど導電性を有した網線を被せ、この網線を内視鏡１の内部のグランドと導通させてもよい。
【００４４】
さらに、上記実施の形態ではチャンネルチューブ１６のチューブ基材２３の外周面の全体に金属膜を成膜して外皮２４を形成した構成を示したが、外皮２４の金属膜の成膜時に例えばスパイラル状のマスキング部材を使用してスパイラル状の外皮２４を成膜する構成にしてもよい。この外皮２４の金属膜の形状は、これに限定されるものではなく、メッシュ状、或いは格子状など種々に変形実施できることは勿論である。この場合にはチャンネルチューブ１６の柔軟性を一層、確実に確保することができる。
【００４５】
[第２の実施の形態]
また、図４は本発明の第２の実施の形態を示すものである。本実施の形態は第１の実施の形態（図１乃至図３参照）のチャンネルチューブ１６の構成を次の通り変更したものである。
【００４６】
すなわち、本実施の形態では、チャンネルチューブ１６のチューブ基材２３の外周面に第１の実施の形態と同様に銅や、ステンレスなど導電性を有した網線や、アルミニウム、ニッケル、銅、金など導電性を有した金属膜によって形成された中間層３１の外層に樹脂層３２を形成したものである。ここで、本実施の形態の中間層３１は第１の実施の形態と同様に金属膜が単層で成膜されたものや、これに代えてチャンネルチューブ１６の外周面に銅や、ステンレスなど導電性を有した網線を被せた構成でも良い。
【００４７】
また、本実施の形態の中間層３１の金属膜には、アース線３３の一端部が接続されている。図３に示すようにこのアース線３３の他端部は、コンデンサ３４、抵抗３５、コイル３６からなるアース回路３７を介してビデオプロセッサ３の内部のグランドと接続されている。これにより、チャンネルチューブ１６の中間層３１の金属膜をビデオプロセッサ３の内部のグランドと導通させることにより、チャンネルチューブ１６内に挿通される高周波処置具２１から出るノイズの影響を防止する電磁シールド手段３８が形成されている。
【００４８】
そこで、上記構成のものにあっては次の効果を奏する。すなわち、本実施の形態ではチャンネルチューブ１６の中間層３１の金属膜の導電性被膜や、網線が内視鏡１の内部のグランドに接続されているので、チャンネルチューブ１６の中間層３１の金属膜の導電性被膜や網線もグランドとなる。そのため、チャンネルチューブ１６の中間層３１のグランドが高周波処置具２１の周囲に発生する電磁界を遮断することによって、ＣＣＤ１５に接続された撮像ケーブル１８ヘのクロストークを防ぎ、モニター４に表示される内視鏡像の画像が乱れることを防止できる。
【００４９】
さらに、本実施の形態では上記効果に加え、チャンネルチューブ１６の中間層３１の外層に樹脂層３２を形成したので、中間層３１の導電性被膜の剥がれや割れを防ぐことができる。これにより、中間層３１の導電性被膜の断線を防止して、高周波処置具２１の周囲に発生する電磁界の遮断効果を安定に保持することができる。
【００５０】
[第３の実施の形態]
また、図５および図６は本発明の第３の実施の形態を示すものである。本実施の形態は第１の実施の形態（図１乃至図３参照）のチャンネルチューブ１６の構成を次の通り変更したものである。
【００５１】
すなわち、本実施の形態では、チャンネルチューブ１６の先端部における湾曲部９以外のチューブ基材２３の外周面部分に金属膜が成膜されて外皮４１が形成されている。また、図６に示すように湾曲部９の部分には金属膜を成膜せず、金属製、例えばステンレスのコイル部材４２が巻装されている。このコイル部材４２と外皮４１の金属膜とは直接接続によって導通されている。
【００５２】
さらに、チャンネルチューブ１６の外皮４１の金属膜には、第１の実施の形態と同様にリード線２５の一端部が接続されている。このリード線２５の他端部は、ビデオプロセッサ３に配設されたアース回路３７と接続されている（図３に示す）。これにより、チャンネルチューブ１６内に挿通される高周波処置具２１から出るノイズの影響を防止する電磁シールド手段２７が形成されている。
【００５３】
そこで、本実施の形態ではチャンネルチューブ１６の外周面の外皮４１およびコイル部材４２が内視鏡１の内部のグランドに接続されているので、チャンネルチューブ１６の外皮４１およびコイル部材４２もグランドとなる。そのため、チャンネルチューブ１６の外皮４１およびコイル部材４２のグランドが高周波処置具２１の周囲に発生する電磁界を遮断することによって、ＣＣＤ１５に接続された撮像ケーブル１８ヘのクロストークを防ぎ、モニター４に表示される内視鏡像の画像が乱れることを防止できる。
【００５４】
さらに、本実施の形態では、特にチャンネルチューブ１６の先端部における湾曲部９以外のチューブ基材２３の外周面部分に金属膜が成膜されて外皮４１が形成され、この湾曲部９の部分にはステンレスのコイル部材４２が巻装されている。そのため、湾曲部９には成膜する必要がないため経済的である。また、湾曲部９を湾曲操作した場合でもこの湾曲部９の部分で外皮４１の金属膜が剥がれないためシールド性能が落ちない効果がある。
【００５５】
また、図７は、第３の実施の形態（図５および図６参照）の内視鏡１のコイル部材４２と外皮４１の金属膜との接続部分の第１の変形例を示す。本変形例ではコイル部材４２と外皮４１の金属膜との接続部に導電性接着剤（カーボンや、銀粉を含んだ接着剤）４３を設け、この導電性接着剤４３を介してコイル部材４２と外皮４１の金属膜との間を接続したものである。
【００５６】
図８は、第３の実施の形態（図５および図６参照）の内視鏡１のコイル部材４２と外皮４１の金属膜との接続部分の第２の変形例を示す。本変形例ではコイル部材４２と外皮４１の金属膜との接続部にリード線４４を設け、このリード線４４を介してコイル部材４２と外皮４１の金属膜との間を接続したものである。
【００５７】
そして、上記第１、２の変形例でも第３の実施の形態と同様に湾曲部９には成膜する必要がないため経済的である。また、湾曲部９を湾曲操作した場合でもこの湾曲部９の部分で外皮４１の金属膜が剥がれないためシールド性能が落ちない効果がある。
【００５８】
[第４の実施の形態]
また、図９は本発明の第４の実施の形態を示すものである。本実施の形態は第１の実施の形態（図１乃至図３参照）の内視鏡１におけるチャンネルチューブ１６の構成を次の通り変更したものである。
【００５９】
すなわち、本実施の形態ではチャンネルチューブ１６のチューブ基材２３の外周面に下地層５１が設けられている。この下地層５１は、例えばチタン、クロム、ＤＬＣ（ダイヤモンドライクカーボン）によって形成されている。この下地層５１は、チューブ基材２３の外周面にテトラエッチ、固体ナトリウム法、大気プラズマ、親水化処理、プライマー散布などの下処理を施したのち、ＣＶＤ法やスパッタリング法、蒸着法、メッキなどにより成膜されて形成される。
【００６０】
さらに、下地層５１の外周面にはシールド層５２が設けられている。このシールド層５２は、例えば銅、クロム、ニッケル、チタンなどの金属がＣＶＤ法やスパッタリング法、蒸着法、メッキなどにより成膜されて形成される。
【００６１】
さらに、シールド層５２の外周面には表面層５３が設けられている。この表面層５３は、例えば金、ニッケル、クロムなどの金属がＣＶＤ法やスパッタリング法、蒸着法、メッキなどにより成膜されて形成される。ここで、表面層５３は、ハンダぬれ性を高める金、またはニッケルの少なくともいずれか１つの成膜層に設定されている。
【００６２】
したがって、本実施の形態ではチャンネルチューブ１６のチューブ基材２３の外周面の下地層５１と、この下地層５１の外周面のシールド層５２と、シールド層５２の外周面の表面層５３とが順次積層された積層体５４によってチャンネルチューブ１６の外皮が形成されている。
【００６３】
そこで、上記構成のものにあっては次の効果を奏する。すなわち、本実施の形態では下地層５１にクロムを成膜し、成膜エネルギーの高いスパッタを使用したので、チャンネルチューブ１６のチューブ基材２３の外周面と下地層５１との密着力を高めることができる。
【００６４】
また、下地層５１の外周面にシールド層５２を成膜したので、チャンネルチューブ１６のＰＴＦＥチューブなどのチューブ基材２３に電磁波シールド特性を付与することができる。
【００６５】
さらに、シールド層５２の外周面に表面層５３を積層させ、チャンネルチューブ１６の最外皮をハンダぬれ性を高める金、またはニッケルの少なくともいずれか１つの成膜層に設定したので、この場合は、特にチャンネルチューブ１６の最外皮の表面層５３の金、またはニッケルの少なくともいずれか１つの成膜層によってチャンネルチューブ１６のハンダぬれ性を高めることができる。
【００６６】
また、シールド層５２の外周面には表面層５３は、耐薬品性を高める金、またはニッケル、またはステンレスの少なくともいずれか１つの成膜層に設定してもよい。この場合は、特にチャンネルチューブ１６の最外皮の表面層５３の金、またはチタン、またはクロムの少なくともいずれか１つの成膜層によってチャンネルチューブ１６の耐薬品性を高めることができる。そのため、洗滌、消毒、滅菌によるチャンネルチューブ１６の劣化を防止することができる。
【００６７】
[第５の実施の形態]
また、図１０は本発明の第５の実施の形態を示すものである。第１の実施の形態（図１乃至図３参照）ではチャンネルチューブ１６のチューブ基材２３の外周面に金属膜を成膜して外皮２４を形成した構成を示したが、本実施の形態ではこれに代えてＣＣＤ１５に接続された撮像ケーブル１８の外周面に金属膜を成膜してシールドとして機能させる外皮６１を形成したものである。なお、これ以外の部分は第１の実施の形態の内視鏡１と同一構成になっており、第１の実施の形態の内視鏡１と同一部分には同一の符号を付してここではその説明を省略する。
【００６８】
また、外皮６１の金属膜には、リード線６２の一端部が接続されている。このリード線６２の他端部は、操作部６に配設されたアース回路２６（図３参照）と接続されている。これにより、内視鏡１の内部のグランドと導通させることにより、チャンネルチューブ１６内に挿通される高周波処置具２１から出るノイズの影響を防止する電磁シールド手段６３が形成されている。
【００６９】
そこで、上記構成のものにあっては次の効果を奏する。すなわち、本実施の形態では撮像ケーブル１８の外皮６１に成膜層を作り、シールドとして機能させるているので、高周波処置具２１より出されたノイズによって内視鏡１の映像が乱れないようにすることができる。さらに、本実施の形態では撮像ケーブル１８の外皮６１をシールドとして機能させるているので、撮像ケーブル１８から出るノイズに対しても有効である。
【００７０】
また、撮像ケーブル１８の外皮６１の金属膜は、必ずしも撮像ケーブル１８の全長に亙り形成する必要は無く、少なくともチャンネルチューブ１６と近接して配置される範囲の部分のみに設ける構成にしてもよい。
【００７１】
[第６の実施の形態]
図１１（Ａ），（Ｂ）は本発明の第６の実施の形態を示すものである。本実施の形態は、第３の実施の形態（図５および図６参照）のチャンネルチューブ１６の構成を次の通り変更したものである。
【００７２】
すなわち、本実施の形態では、図１１（Ａ）に示すようにチャンネルチューブ１６の外皮には、金属膜が成膜されておらず、金属製、例えばステンレスのコイル部材７１が巻装されている。このコイル部材７１は、湾曲部９だけでなく、チャンネルチューブ１６の全域に渡って延設されている。
【００７３】
このコイル部材７１の操作部６側の端部には、金属のバネ材で作られたアース接続部品７２が取り付けられている。このアース接続部品７２は、図１１（Ｂ）に示す通り、円筒の一側部を切り欠いたコイル接続部７３を有する。このコイル接続部７３は、コイル部材７１の上に嵌め込まれる状態で装着され、コイル部材７１を締め付けるように取り付けられている。コイル接続部７３の一端部には、直線状の端子７４が設けられている。この端子７４には、アース線２５がハンダ付けされている。これにより、コイル部材７１は、アース接続部品７２と、アース線２５と、ビデオプロッセサ３のアース回路３７を経てグランドに電気的に接続されている。つまり、チャンネルチューブ１６の周囲には、電磁シールド手段２７が形成されている。
【００７４】
また、コイル部材７１はチャンネルチューブ１６を締め付ける構成となっている。つまり、コイル部材７１によってチャンネル１６の座屈を防止する構成となっている。
【００７５】
また、観察部１０の対物レンズユニット１３は、対物レンズ１３ｃを保持する、対物レンズ枠１３０ａと、対物レンズ１３ｃ以外の対物レンズ群１３ａを保持する、樹脂もしくはセラミック等の絶縁材料で作られたレンズ枠１３０ｂとからなる。このレンズ枠１３０ｂには、ＣＣＤ１５を保持するＣＣＤ保持枠１４が接続されている。
【００７６】
次に、上記構成の作用について説明する。本実施の形態ではチャンネルチューブ１６の外周面のコイル部材７１がグランドに接続されているので、コイル部材７１が高周波処置具２１の周囲に発生する電磁界を遮断する。これにより、ＣＣＤ１５に接続された撮像ケーブル１８へのクロストークを防ぎ、モニター４に表示される内視鏡画像の画像が乱れることを防止できる。
【００７７】
さらに、本実施の形態ではチャンネルチューブ１６の外周面に金属膜を製膜する必要がないため経済的である。また、チャンネルチューブ１６の全長に渡ってコイル部材７１が巻かれているため、チャンネルチューブ１６が座屈しにくい。そのため、チャンネルチューブをより薄くすることができ、ひいては挿入部を細径化することができる。
【００７８】
また、対物レンズユニット１３の一部、すなわち対物レンズ１３ｃ以外の対物レンズ群１３ａを保持するレンズ枠１３０ｂを絶縁材料としたため、先端側の対物レンズ枠１３０ａとの絶縁が強化される。つまり、灌流液を伝わる高周波の漏れ電流が対物レンズユニット１３のレンズ枠を経てＣＣＤ１５側に流入されることをより効果的に防止できる。
【００７９】
なお、本発明は上記実施の形態に限定されるものではない。例えば、第１の実施の形態（図１乃至図３参照）と、第５の実施の形態（図１０参照）との組合せや、第３の実施の形態（図５および図６参照）と、第５の実施の形態（図１０参照）との組合せも有効である。さらに、その他、本発明の要旨を逸脱しない範囲で種々変形実施できることは勿論である。  
次に、本出願の他の特徴的な技術事項を下記の通り付記する。  
記  
（付記項１）  鉗子チャンネルの外周面にアルミニウム、ニッケル、銅、金など導電性を有した導電性被膜を形成し、前記導電被膜を内視鏡内部のグランドと導通させた内視鏡。
【００８０】
（付記項２）  上記導電性被膜をＣＶＤ法やスパッタリング法、蒸着法、メッキなどにより形成した付記項１に記載の内視鏡。
【００８１】
（付記項３）  上記導電性被膜の前処理として親水化処理、テトラエッチ処理を施した付記項１に記載の内視鏡。
【００８２】
（付記項４）  鉗子チャンネルの外周面に銅やステンレスなど導電性を有した網線を被せ、前記網線を内視鏡内部のグランドと導通させた内視鏡。
【００８３】
（付記項５）  内層をＰＴＦＥやＦＥＰ、ポリイミドなどの樹脂、内層の外側に銅やステンレスなど導電性を有した網線やアルミニウム、ニッケル、銅、金など導電性を有した導電性被膜、網線や導電性被膜の外側にＰＴＦＥやＦＥＰ、ポリイミドなどの樹脂からなる鉗子チャンネルを用い、前記網線を内視鏡内部のグランドと導通させた内視鏡。
【００８４】
（付記項６）  対物レンズユニット内に非導電性のアルマイト処理を施したアルミ部材を用いたことを特徴とする電子内視鏡。
【００８５】
（付記項７）  対物レンズユニットとＣＣＤを保持する枠部材に非導電性のアルマイト処理を施したアルミ部材を用いたことを特徴とする電子内視鏡。
【００８６】
（付記項１〜５の従来技術）  鉗子チャンネルを有した電子内視鏡では、鉗子チャンネルに挿通された高周波処置具と組み合わせて使用する場合がある。
【００８７】
（付記項１〜５が解決しようとする課題）  電子内視鏡で、鉗子チャンネルに挿通された高周波処置具と組み合わせて使用すると、高周波処置具の周りに発生した電磁界によってＣＣＤに接続されたケーブルにクロストークが生じ画像が乱れることがあった。
【００８８】
（付記項１〜３の効果）  鉗子チャンネルの外層に形成された導電性被膜が内視鏡内部のグランドに接続されており、導電性被膜もグランドとなる。鉗子チャンネルの外層のグランドが高周波処置具の周囲に発生する電磁界を遮断することによって、ＣＣＤに接続されたケーブルヘのクロストークを防ぎ、画像が乱れるのを防止できる。
【００８９】
（付記項４、５の効果）  鉗子チャンネルの中層に形成された導電性被膜や網線が内視鏡内部のグランドに接続されており、導電性被膜や網線もグランドとなる。鉗子チャンネルの中層のグランドが高周波処置具の周囲に発生する電磁界を遮断することによって、ＣＣＤに接続されたケーブルヘのクロストークを防ぎ、画像が乱れるのを防止できる。
【００９０】
（付記項６、７の従来技術）  灌流液や生理食塩水中で使用される電子内視鏡では、鉗子チャンネルに挿通された高周波処置具と組み合わせて使用する場合がある。対物レンズユニット内にセラミックからなる非導電性部材を設けた電子内視鏡が既知である。
【００９１】
（付記項６、７が解決しようとする課題）  鉗子チャンネルに挿通された高周波処置具と組み合わせて使用すると、還流液や生理食塩水を伝わる高周波によって画像が乱れることがあった。対物レンズユニット内にセラミックからなる非導電性部材を設けた電子内視鏡の場合は、電子内視鏡の細径化を進めるとセラミックが薄肉化し、加工や組立で割れてしまう問題があった。
【００９２】
（付記項６の効果）  対物レンズユニット内に非導電性のアルマイト処理を施したアルミ部材を用いることで絶縁部材の加工・組立での割れを防止でき、灌流液を伝わる高周波をＣＣＤに流入させることを防止できる。
【００９３】
（付記項７の効果）  対物レンズユニットとＣＣＤを保持する枠部材に非導電性のアルマイト処理を施したアルミ部材を用いることで絶縁部材の加工・組立での割れを防止でき、灌流液を伝わる高周波をＣＣＤに流入させることを防止できる。
【００９４】
（付記項８）  前記金属層は、クロム、銅、金からなることを特徴とする請求項５に記載の内視鏡。
【００９５】
（付記項９）  前記金属層は、ニッケルからなることを特徴とする請求項５に記載の内視鏡。
【００９６】
（付記項１０）  前記金属膜は、フッ素樹脂の外面に親和性を高める前処理を行なった後、スパッタリングもしくはイオンプレーティング処理によって複数種類の金属を順次成膜し、かつ成膜層の最外皮を耐薬品性を高める金、またはチタン、またはクロム、またはニッケルの少なくともいずれか１つの成膜層に設定したものであることを特徴とする請求項１に記載の内視鏡。
【産業上の利用可能性】
【００９７】
本発明は、ＣＣＤなどの撮像素子によって内視鏡像が撮像されるとともに、処置具挿通チャンネル内に高周波処置具が挿入され、高周波処置が行なわれる内視鏡を製造、使用する技術分野で有効である。
【図面の簡単な説明】
【００９８】
【図１】本発明の第１の実施の形態を示す内視鏡のシステム全体の概略構成図。
【図２】（Ａ）は第１の実施の形態の内視鏡の挿入部の内部構成を示す縦断面図、（Ｂ）はチャンネルチューブの外皮の金属膜の構成を示す要部の縦断面図。
【図３】第１の実施の形態の内視鏡の挿入部の先端部の内部の概略構成を示す縦断面図。
【図４】本発明の第２の実施の形態の内視鏡のアース回路の接続状態を示す要部の概略構成図。
【図５】本発明の第３の実施の形態の内視鏡の挿入部の内部構成を示す縦断面図。
【図６】第３の実施の形態の内視鏡のコイル部材と金属膜との接続部分を示す要部の縦断面図。
【図７】第３の実施の形態の内視鏡のコイル部材と金属膜との接続部分の第１の変形例を示す要部の縦断面図。
【図８】第３の実施の形態の内視鏡のコイル部材と金属膜との接続部分の第２の変形例を示す要部の縦断面図。
【図９】本発明の第４の実施の形態の内視鏡の挿入部の内部構成を示す縦断面図。
【図１０】本発明の第５の実施の形態の内視鏡の挿入部の内部構成を示す縦断面図。
【図１１】本発明の第６の実施の形態を示すもので、（Ａ）は内視鏡の挿入部の内部構成を示す縦断面図、（Ｂ）はアース接続部品を示す斜視図。
【符号の説明】
【００９９】
５…挿入部、６…操作部、１０…観察部、１１…処置具挿通チャンネル、１１ａ…開口部、１６…チャンネルチューブ（管状部材）、１８…撮像ケーブル（管状部材）、２１…高周波処置具、２３…チューブ基材、２４、４１…外皮、２６、３７…アース回路、２７、３８、６３…電磁シールド手段。
【図１】
2006006529.tif 000003
【図２】
2006006529.tif 000004
【図３】
2006006529.tif 000005
【図４】
2006006529.tif 000006
【図５】
2006006529.tif 000007
【図６】
2006006529.tif 000008
【図７】
2006006529.tif 000009
【図８】
2006006529.tif 000010
【図９】
2006006529.tif 000011
【図１０】
2006006529.tif 000012
【図１１】
2006006529.tif 000013